(57)【特許請求の範囲】
【請求項１】
開かれた本の頁の浮き上がりを抑制する頁浮上抑制装置であって、
前記頁を押さえる頁押さえ部材と、
本の厚みに応じて、前記頁押さえ部材の本の厚さ方向の位置を調整する調整部材と、を備え、
前記頁押さえ部材は、前記頁を押さえる際に重なっている複数の頁を捌く頁捌き部を有し、前記頁捌き部は、前記複数の頁を捌く際に当該複数の頁の縁に当接する面が曲面形状又は傾斜面形状をなす頁捌き面を有し、前記頁捌き面に前記複数の頁のすべりを防止する摩擦部材を有する、
ことを特徴とする頁浮上抑制装置。
【請求項２】
開かれた本の頁の浮き上がりを抑制する頁浮上抑制装置であって、
前記頁を押さえる頁押さえ部材と、
前記開かれた本の直交する２つの側面を押さえる側面押さえ部と、
本の厚みに応じて、前記頁押さえ部材の本の厚さ方向の位置を調整する調整部材と、を備え、
前記頁押さえ部材は、前記頁を押さえる際に重なっている複数の頁を捌く頁捌き部を有する、
ことを特徴とする頁浮上抑制装置。
【請求項３】
開かれた本の頁の浮き上がりを抑制する頁浮上抑制装置であって、
前記頁を押さえる頁押さえ部材と、
本の厚みに応じて、前記頁押さえ部材の本の厚さ方向の位置を調整する調整部材と、を備え、
前記頁押さえ部材は、前記頁を押さえる際に重なっている複数の頁を捌く頁捌き部を有し、前記調整部材は、前記頁を押さえる方向及び当該頁の押さえを解除する方向に、前記頁押さえ部材を案内するガイド部材と、前記頁を押さえる方向に前記頁押さえ部材を付勢する付勢部材と、を有する、
ことを特徴とする頁浮上抑制装置。
【請求項４】
開かれた本の頁の浮き上がりを抑制する頁浮上抑制装置であって、
前記頁を押さえる頁押さえ部材と、
本の厚みに応じて、前記頁押さえ部材の本の厚さ方向の位置を調整する調整部材と、
前記開かれた本を載置するための基台に当該頁浮上抑制装置を着脱自在に固定するための固定部材と、を備え、
前記頁押さえ部材は、前記頁を押さえる際に重なっている複数の頁を捌く頁捌き部を有する、
ことを特徴とする頁浮上抑制装置。
【請求項５】
開かれた本の頁をめくるべく、めくり元位置で所定の部材に頁を接触させ、この接触に基づいて前記所定の部材に追随してきた頁をめくり先位置で前記所定の部材から脱着させる頁めくり装置であって、
前記開かれた本を載置するための基台と、
前記開かれた本の頁の浮き上がりを抑制する頁浮上抑制装置であって、前記頁を押さえる頁押さえ部材と、本の厚みに応じて、前記頁押さえ部材の本の厚さ方向の位置を調整する調整部材と、を備え、前記頁押さえ部材は、前記頁を押さえる際に重なっている複数の頁を捌く頁捌き部を有する頁浮上抑制装置と、
を備え、
前記基台は、ベース部と前記ベース部に対してスライドするスライド部とを備え、
前記頁浮上抑制装置は、前記スライド部に固定される、
ことを特徴とする頁めくり装置。
【請求項６】
開かれた本の頁をめくるべく、めくり元位置で所定の部材に頁を接触させ、この接触に基づいて前記所定の部材に追随してきた頁をめくり先位置で前記所定の部材から脱着させる頁めくり装置であって、
前記開かれた本を載置するための基台と、
本の見開き頁に第一の領域が当接されるとともに、見開かれた本の側面に第二の領域が当接される当接部材と、前記当接部材により前記見開き頁を本の厚み方向に向けて押圧する押圧手段と、を備え、前記第二の領域は、前記見開き頁を最上層の頁とした場合に下層側の頁よりも上層側の頁の方が本の綴じ部方向に向けた頁端部のズレ量が大きくなる形状に形成されている頁浮上抑制装置と、
を備え、
前記基台は、ベース部と前記ベース部に対してスライドするスライド部とを備え、
前記頁浮上抑制装置は、前記スライド部に固定される、
ことを特徴とする頁めくり装置。
【請求項７】
開かれた本の頁をめくる方法であって、
曲面形状又は傾斜面形状をなす頁捌き面に複数の頁のすべりを防止する摩擦部材を有する頁押さえ部材で、めくり元位置の複数の頁を押さえることで、当該めくり元位置の複数の頁を捌く工程と、
前記めくり元位置で所定の部材に前記開かれた本の最上層の頁を接触させる工程と、
前記接触に基づいて前記所定の部材に追随してきた頁をめくり先位置で前記所定の部材から脱着させる工程と、
を含むことを特徴とする頁めくり方法。
【請求項８】
開かれた本の頁をめくる方法であって、
前記開かれた本の直交する２つの側面を側面押さえ部によって押さえると共に、曲面形状又は傾斜面形状をなす頁捌き面を有する頁押さえ部材で、めくり元位置の複数の頁を押さえることで、当該めくり元位置の複数の頁を捌く工程と、
前記めくり元位置で所定の部材に前記開かれた本の最上層の頁を接触させる工程と、
前記接触に基づいて前記所定の部材に追随してきた頁をめくり先位置で前記所定の部材から脱着させる工程と、
を含むことを特徴とする頁めくり方法。
【請求項９】
開かれた本の頁をめくる方法であって、
前記開かれた本を載置するための基台に、曲面形状又は傾斜面形状をなす頁捌き面を有する頁押さえ部材を着脱自在に固定する工程と、
前記固定された頁押さえ部材でめくり元位置の複数の頁を押さえることで、当該めくり元位置の複数の頁を捌く工程と、
前記めくり元位置で所定の部材に前記開かれた本の最上層の頁を接触させる工程と、
前記接触に基づいて前記所定の部材に追随してきた頁をめくり先位置で前記所定の部材から脱着させる工程と、
を含むことを特徴とする頁めくり方法。
【発明の詳細な説明】
【技術分野】
【０００１】
本発明は、頁浮上抑制装置、頁めくり装置、及び頁めくり方法に関する。
【背景技術】
【０００２】
従来、例えば本等の頁をめくる装置としては、１枚ずつ頁を吸着機構で吸着して持ち上げて頁をめくる頁捲り装置が知られている（例えば特許文献１参照）。
【先行技術文献】
【特許文献】
【０００３】
【特許文献１】特開平６−４８０６７号公報
【発明の概要】
【発明が解決しようとする課題】
【０００４】
ところで、本の頁をめくる際に頁同士の張り付きや頁の裁断バリがある場合、複数の頁が重なったまま持ち上げられてしまい、一枚ごとの頁めくりができないおそれがあった。
このため、本発明の課題は、複数の頁が重なってめくられることを抑制することである。
【課題を解決するための手段】
【０００５】
以上の課題を解決するため、本発明の一の態様によれば、
開かれた本の頁の浮き上がりを抑制する頁浮上抑制装置であって、
前記頁を押さえる頁押さえ部材と、
本の厚みに応じて、前記頁押さえ部材の本の厚さ方向の位置を調整する調整部材と、を備え、
前記頁押さえ部材は、前記頁を押さえる際に重なっている複数の頁を捌く頁捌き部を有し、前記頁捌き部は、前記複数の頁を捌く際に当該複数の頁の縁に当接する面が曲面形状又は傾斜面形状をなす頁捌き面を有し、前記頁捌き面に前記複数の頁のすべりを防止する摩擦部材を有する、
ことを特徴とする頁浮上抑制装置が提供される。
【発明の効果】
【０００６】
本発明によれば、複数の頁が重なってめくられることを抑制することができる。
【図面の簡単な説明】
【０００７】
【図１】本実施形態の頁めくり装置の概略構成を示す斜視図である。
【図２】本実施形態に係る頁浮上抑制装置の概略構成を示す斜視図であり、（ａ）は常態の頁浮上抑制装置を左斜め前方から見た斜視図であり、（ｂ）は常態の頁浮上抑制装置を右斜め後方から見た斜視図である。
【図３】本実施形態に係る頁浮上抑制装置の概略構成を示す斜視図であり、（ａ）は頁押さえ部材を最上部まで持ち上げた状態の頁浮上抑制装置を左斜め前方から見た斜視図であり、（ｂ）は頁押さえ部材を最上部まで持ち上げた状態の頁浮上抑制装置を右斜め後方から見た斜視図である。
【図４】頁浮上抑制装置のその他の一例を示す斜視図であり、（ａ）は常態の頁浮上抑制装置を左斜め前方から見た斜視図であり、（ｂ）は常態の頁浮上抑制装置を右斜め後方から見た斜視図である。
【図５】（ａ）は本実施形態に係る頁押さえ部材の概略構成を示す斜視図であり、（ｂ）及び（ｃ）は頁押さえ部材のその他の一例を示す斜視図である。
【図６】本実施形態の頁めくり装置の動作時の一状態を示す正面図である。
【図７】本実施形態の頁めくり装置の動作時の一状態を示す正面図である。
【図８】本実施形態に係る頁浮上抑制装置のその他の一例を示す図であり、（ａ）は当該頁浮上抑制装置の概略構成を示す斜視図であり、（ｂ）は（ａ）のＡ−Ａ線に沿った面の矢視断面図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は本実施形態の頁めくり装置１の概略構成を示す斜視図である。なお、以下の説明においては本Ｂの頁Ｐを左から右へとめくる場合について説明する。
図１に示すように、頁めくり装置１は、開かれた本Ｂを保持する保持台２０と、保持台２０上の本Ｂの頁Ｐのめくり元位置で頁Ｐを保持し、頁Ｐのめくり先位置で頁Ｐに対する保持を解除するめくり装置本体１０と、保持台２０上のめくり元位置の頁Ｐの浮き上がりを抑制する頁浮上抑制装置３０とを備えている。
【００１０】
めくり装置本体１０は、略直方体形状の収納ケース１１と、駆動軸（図示省略）を有するモータなどの駆動部１２と、当該駆動軸を中心に揺動するアーム部１３と、アーム部１３の先端に取り付けられ、本Ｂの頁Ｐに対して付着する付着部１４と、駆動部１２、アーム部１３及び付着部１４を支持する台座部（図示省略）と、めくり元位置にある頁Ｐの上方に風を通過させることでめくり先位置にある頁Ｐに対して風を当てる送風部１５と、各部を制御する制御部（図示省略）とを備えている。
めくり装置本体１０の上記駆動軸は、本Ｂ側に向けて傾いており、当該駆動軸が回転するとアーム部１３が当該駆動軸を中心にして円弧を描くように頁Ｐのめくり元位置と、頁Ｐのめくり先位置との間を往復動作するようになっている。
【００１１】
保持台（基台）２０は、第１保持板２１と、ヒンジ２３（図６参照）により傾斜角度を調整自在な第２保持板２２とを備えている。第１保持板２１及び第２保持板２２は、磁性材で形成されており、下面（底面）にマグネットシート（固定部材３５）を有する頁浮上抑制装置３０（後述）を保持可能となっている。ここで、本Ｂの頁Ｐが左から右へとめくられる場合は、左側に配置された第１保持板２１が卓上に沿うように置かれ、右側に置かれる第２保持板２２が第１保持板２１に対して所定の角度で起き上がるように傾斜して卓上に置かれる。第１保持板２１上には、本Ｂのめくり元位置となる頁Ｐが置かれ、第２保持板２２上には、本Ｂのめくり先位置となる頁Ｐが置かれることになる。
これにより、保持台２０は、めくり元位置にある頁Ｐよりもめくり先にある頁Ｐの方が本Ｂの綴じ目ｂ２に対して起きる方向に傾斜するように本Ｂを保持することになる。なお、めくり先位置にある頁Ｐの水平面に対する傾斜角度としては３０〜４５度内の範囲で調整することが好ましい。
【００１２】
次に、頁浮上抑制装置３０について説明する。
図２及び図３は頁浮上抑制装置３０の概略構成を示す斜視図であり、図２（ａ）は常態の頁浮上抑制装置３０を左斜め前方から見た斜視図であり、図２（ｂ）は常態の頁浮上抑制装置を右斜め後方から見た斜視図である。一方、図３（ａ）は頁押さえ部材３２（当接部材）を最上部まで持ち上げた状態の頁浮上抑制装置３０を左斜め前方から見た斜視図であり、図３（ｂ）は頁押さえ部材３２を最上部まで持ち上げた状態の頁浮上抑制装置３０を右斜め後方から見た斜視図である。
【００１３】
図２（ａ）及び（ｂ）に示すように、頁浮上抑制装置３０は、フレーム３１と、めくり元位置にある頁Ｐを押さえる頁押さえ部材３２と、頁押さえ部材３２を、めくり元位置にある頁Ｐを押さえる方向及び当該頁Ｐの押さえを解除する方向に摺動自在に案内する２本のシャフト３３，３３と、めくり元位置にある頁Ｐを押さえる方向に頁押さえ部材３２を付勢するコイルバネ３４，３４と、頁浮上抑制装置３０を第１保持板２１、第２保持板２２に固定するための固定部材３５とを備えている。
【００１４】
フレーム３１は、上述した頁押さえ部材３２、シャフト３３，３３、コイルバネ３４，３４、及び固定部材３５を取り付けるための部材であり、背面側が開口した箱形状をなしている。
フレーム３１の前面には、後述する左側突片３２３を、フレーム３１の前面側から背面側へ突出させた状態で上下方向に移動可能な縦長の左側矩形窓３１１と、後述する右側突片３２４を、フレーム３１の前面側から背面側へ突出させた状態で上下方向に移動可能な縦長の右側矩形窓３１２とが設けられている。また、左側矩形窓３１１及び右側矩形窓３１２のそれぞれの上端部には切欠３１３，３１４が施されている。切欠３１３，３１４は、図３（ａ）に示すように、頁押さえ部材３２を最上部に移動させた際に後述する補強部材３２５，３２５（図２（ｂ）参照）が左側矩形窓３１１及び右側矩形窓３１２のそれぞれの上端部に衝突することを回避するために設けられている（図３（ｂ）参照）。
【００１５】
また、フレーム３１の前面側であって、左側矩形窓３１１の左側、及び右側矩形窓３１２の右側には凸状の側面押さえ部３１５，３１６が上下方向に延設されている。側面押さえ部３１５，３１６は、めくり元位置にある本Ｂの前小口側の側面を押さえる機能を果たすものである。これにより、めくり元位置にセットされた本Ｂのぶれを好適に抑制することができる。
なお、めくり元位置にある本Ｂの前小口側及び地（天と地のうちの地）側の２つの側面を押さえる機能を果たすことができるよう、例えば、図４（ａ）及び（ｂ）に示すように、頁浮上抑制装置３０は、フレーム３１の前面側の左端に延設部３１７を設け、フレーム３１が平面視Ｌ字状をなすようにしてもよい。これにより、めくり元位置にセットされた本Ｂのぶれをより好適に抑制することができる。
【００１６】
頁押さえ部材３２は、図５（ａ）に示すように、めくり元位置にある頁Ｐを押さえる平板状の頁押さえ部３２１と、頁押さえ部３２１の下面側から後方に突出する左側突片３２３及び右側突片３２４と、頁押さえ部３２１と左側突片３２３との背面側の繋目部分、及び頁押さえ部３２１と右側突片３２４との背面側の繋目部分を補強する補強部材３２５，３２５（図２（ｂ）参照）とを備えている。頁押さえ部３２１は、その下側の面（第一の領域）がめくり元位置の頁Ｐに当接し、めくり元位置の頁Ｐの書画領域に重ならない程度の大きさとする。
左側突片３２３の平面上には、円板状のリブ３２６が設けられており、左側突片３２３及びリブ３２６には、フレーム３１に配設される２本のシャフト３３，３３のうち左側に配設されるシャフト３３を挿通可能な貫通孔３２３ａが連穿されている。
右側突片３２４の平面上には、円板状のリブ３２７が設けられており、右側突片３２４及びリブ３２７には、フレーム３１に配設される２本のシャフト３３，３３のうち右側に配設されるシャフト３３を挿通可能な貫通孔３２４ａが連穿されている。
【００１７】
また、頁押さえ部材３２は、図５（ａ）に示すように、頁押さえ部３２１と左側突片３２３との前面側の繋目部分にめくり元位置の重なっている複数の頁Ｐ，…を捌く頁捌き部３２８を備えている。また、頁押さえ部材３２は、図示は省略するが頁押さえ部３２１と右側突片３２４との前面側の繋目部分にも同様の頁捌き部を備えている。
【００１８】
頁捌き部３２８は、図５（ａ）、図６、及び図７に示すように、めくり元位置の重なっている複数の頁Ｐ，…の縁に当接する面（頁捌き面、第二の領域）が前面側に凹となる曲面形状をなしている。当該頁捌き面を曲面形状としているのは、めくり元位置の頁Ｐを押さえる際に重なっている複数の頁Ｐ，…を当該頁捌き面に沿ってずらすためである。つまり、当該頁捌き面を曲面形状とすることで、本をめくる際に親指で頁をずらすときと同様の役目を果たすことができ、これにより頁Ｐ同士の張り付きや裁断バリによる頁Ｐ端部同士の張り付き等を緩和することができるようになっている。
また、頁捌き部３２８は、上記頁捌き面に複数の頁Ｐ，…のすべりを防止する摩擦部材（コルクシート、ウレタンゴムシート、合成皮革シート等）３２９が取り付けられている。
なお、頁捌き面の形状は、上述した前面側に凹となる曲面形状に限らず、例えば、図５（ｂ）に示すように、めくり元位置の重なっている複数の頁Ｐ，…の縁に当接する面（頁捌き面）が前面側に凸となる曲面形状をなしていてもよい。また、図５（ｃ）に示すように、頁捌き面が前面側に上り傾斜する傾斜面形状をなしていてもよい。
【００１９】
シャフト（調整部材、ガイド部材、押圧手段）３３，３３は、円柱状をなし、各シャフト３３が互いに平行となるようにフレーム３１の上部及び下部に支持されている。
具体的には、左側のシャフト３３は、上からコイルバネ３４、リブ３２６、左側突片３２３の順にこれらを挿通させた状態でフレーム３１の上部及び下部に支持されている。
また、右側のシャフト３３は、上からコイルバネ３４、リブ３２７、右側突片３２４の順にこれらを挿通させた状態でフレーム３１の上部及び下部に支持されている。
【００２０】
コイルバネ（調整部材、付勢部材、押圧手段）３４，３４は、頁押さえ部材３２をめくり元位置にある頁Ｐを押さえる方向に付勢するものである。コイルバネ３４，３４の外径は、図２（ｂ）に示すように、リブ３２６，３２７の外径と略等しく、コイルバネ３４，３４は、リブ３２６，３２７の各平面上にバネの下端部が載置されるようになっている。
【００２１】
固定部材３５は、頁浮上抑制装置３０を第１保持板２１、第２保持板２２に着脱自在に固定するためのマグネットシートであり、頁浮上抑制装置３０の下面（底面）に配設されている。
【００２２】
次に、めくり元位置にある開かれた本Ｂに対して頁浮上抑制装置３０をセットする際の手順について、図３、図６、及び図７を用いて説明する。
【００２３】
まず、図３（ａ），（ｂ）に示すように、頁浮上抑制装置３０の頁押さえ部材３２をコイルバネ３４，３４による付勢力に抗しながら最上部まで持ち上げた状態とし、この頁浮上抑制装置３０を、図６に示すように、第１保持板２１に置かれた開かれた本Ｂの側方に載置し、めくり元位置にある頁Ｐを頁押さえ部材３２によって押さえる。
【００２４】
次いで、図７に示すように、頁浮上抑制装置３０の側面押さえ部３１５，３１６がめくり元位置にある開かれた本Ｂの前小口側面に当接するまで、頁浮上抑制装置３０を図の右方向へスライドさせる。このとき、めくり元位置にある開かれた本Ｂの上層の複数の頁Ｐ，…は、頁捌き部３２８の頁捌き面によって図の右方向へ押し出され頁同士がずれた状態とすることができ、当該複数の頁Ｐ，…の張り付きや裁断バリによる当該複数の頁Ｐ，…の端部の張り付きが緩和されることとなる。また、この状態においてめくり元位置にある頁Ｐがめくられる場合、この頁Ｐの前小口側の側面は、頁捌き部３２８の頁捌き面と接触し摩擦力が生じることとなる。これにより、めくり元位置にある頁Ｐが一度に複数枚めくられた場合、付着部１４に付着された頁Ｐ以外の頁、すなわち２枚目以降の頁Ｐは頁捌き部３２８の頁捌き面よる摩擦力により当該頁捌き面を乗り越えることができない。したがって、当該２枚目以降の頁Ｐは、めくられることなくめくり元位置に留まらせることができるようになっている。
【００２５】
以上のように、本実施形態によれば、頁めくり装置１は、めくり元位置の頁Ｐの浮き上がりを抑制する頁浮上抑制装置３０を備え、この頁浮上抑制装置３０を構成する頁押さえ部材３２は、重なっている複数の頁Ｐ，…を捌く頁捌き部３２８を有しているので、めくり元位置の頁Ｐの浮き上がりを抑制することができるとともに、当該頁Ｐを押さえる際に頁Ｐ同士の張り付きや裁断バリによる頁Ｐ端部同士の張り付きを緩和することができる。したがって、複数の頁Ｐが重なってめくられることを抑制することができる。
【００２６】
また、頁捌き部３２８は、複数の頁Ｐ，…を捌く際に当該複数の頁Ｐ，…の縁に当接する頁捌き面が曲面形状をなしているので、めくり元位置の頁Ｐを押さえる際に重なっている複数の頁Ｐ，…を当該頁捌き面に沿ってずらすことができ、これにより頁Ｐ同士の張り付きや裁断バリによる頁Ｐ端部同士の張り付き等を緩和することができる。
【００２７】
また、頁捌き部３２８は、頁捌き面に複数の頁Ｐ，…のすべりを防止する摩擦部材３２９を有するので、頁Ｐ同士の張り付きや裁断バリによる頁Ｐ端部同士の張り付き等が解消されていない場合であっても、１枚目の頁Ｐだけがめくられ、２枚目以降の頁Ｐは、摩擦部材３２９の摩擦力によって、１枚目の頁Ｐと一緒にめくられることを防ぐことができる。したがって、複数の頁Ｐ，…が頁捌き面を移動する際に１枚目の頁Ｐと２枚目以降の頁Ｐとを分離することができるので、複数の頁Ｐ，…が重なってめくられることを抑制することができる。
【００２８】
また、頁浮上抑制装置３０は、めくり元位置の開かれた本Ｂの側面を押さえる側面押さえ部３１５，３１６を更に有するので、当該本Ｂの位置ズレを抑制することができ、頁めくり装置１による頁めくり動作を安定して行うことができる。
【００２９】
また、頁浮上抑制装置３０は、めくり元位置の頁Ｐを押さえる方向及び当該頁Ｐの押さえを解除する方向に、頁押さえ部材３２を案内するシャフト３３，３３と、めくり元位置の頁Ｐを押さえる方向に頁押さえ部材３２を付勢するコイルバネ３４，３４と、を有するので、頁押さえ部材３２を持ち上げて離すだけでめくり元位置の頁Ｐを容易に押さえることができる。
【００３０】
また、頁浮上抑制装置３０は、保持台２０（第１保持板２１）に当該装置を着脱自在に固定するための固定部材（マグネットシート）を有するので、保持台２０の所望の位置に当該装置を固定することができ、当該装置の使い勝手を向上させることができる。
【００３１】
なお、本発明は上記実施形態に限らず適宜変更可能である。
例えば、上記実施形態では、頁浮上抑制装置３０の頁押さえ部材３２によって、めくり元位置にある頁Ｐの前小口側を押さえるとともに、当該頁Ｐとそれよりも下方の複数の頁Ｐ，…を捌く場合を例示して説明したが、図８（ａ）及び（ｂ）に示すように、頁押さえ部材１３２によって、めくり元位置にある頁Ｐの前小口側及び天側（天と地のうちの天側）を押さえるとともに、当該頁Ｐとそれよりも下方の複数の頁Ｐ，…を捌くことも可能である。
【００３２】
具体的には、頁押さえ部材１３２は、平面視直角三角形状とするとともに、断面視Ｌ字状をなす部材とする。また、頁押さえ部材１３２は、Ｌ字状に屈曲する内側角部、すなわち、めくり元位置の重なっている複数の頁Ｐ，…の縁に当接する面（頁捌き面）が凹となる曲面形状をなすようにする。また、頁押さえ部材１３２は、平面視Ｌ字状の支持部材１３１によって、めくり元位置にある頁Ｐを押さえる方向及び当該頁Ｐの押さえを解除する方向に形成された摺動溝１３１ａ，１３１ｂを介して摺動自在に支持されるようにする。なお、めくり元位置にある頁Ｐを押さえる力は、頁押さえ部材１３２の自重を利用してもよく、図示しないバネよる付勢力を利用してもよい。
この頁押さえ部材１３２によれば、めくり元位置の頁Ｐを押さえる際に重なっている複数の頁Ｐ，…を上記頁捌き面に沿ってずらすことができ、これにより頁Ｐ同士の張り付きや裁断バリによる頁Ｐ端部同士の張り付き等を緩和することができる。したがって、複数の頁Ｐ，…が重なってめくられることを抑制することができる。
【００３３】
また、上記実施形態では、第１保持板２１に固定された頁浮上抑制装置３０の位置を調整する場合には、当該装置を第１保持板２１から一旦引きはがし所定の位置へ置き直すか、当該装置を第１保持板２１に固定させた状態のまま所定の位置へ手動でスライドさせる必要があったが、例えば、第１保持板２１は、ベース部と、当該ベース部に対してスライドするスライド部とを備えるようにし、頁浮上抑制装置３０を当該スライド部に着脱自在に固定することができるようにしてもよい。第１保持板２１を上記のように構成することで、頁浮上抑制装置３０の位置決め操作を容易にすることができ、当該装置の使い勝手をより向上させることができる。
【００３４】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００３５】
〔付記〕
［請求項１］
開かれた本の頁の浮き上がりを抑制する頁浮上抑制装置であって、
前記頁を押さえる頁押さえ部材と、
本の厚みに応じて、前記頁押さえ部材の本の厚さ方向の位置を調整する調整部材と、を備え、
前記頁押さえ部材は、前記頁を押さえる際に重なっている複数の頁を捌く頁捌き部を有することを特徴とする頁浮上抑制装置。
［請求項２］
前記頁捌き部は、前記複数の頁を捌く際に当該複数の頁の縁に当接する面が曲面形状又は傾斜面形状をなす頁捌き面を有することを特徴とする請求項１に記載の頁浮上抑制装置。
［請求項３］
前記頁捌き部は、前記頁捌き面に前記複数の頁のすべりを防止する摩擦部材を有することを特徴とする請求項２に記載の頁浮上抑制装置。
［請求項４］
前記開かれた本の側面を押さえる側面押さえ部を更に有することを特徴とする請求項１〜３の何れか一項に記載の頁浮上抑制装置。
［請求項５］
前記側面押さえ部は、前記開かれた本の直交する２つの側面を押さえることを特徴とする請求項４に記載の頁浮上抑制装置。
［請求項６］
前記調整部材は、
前記頁を押さえる方向及び当該頁の押さえを解除する方向に、前記頁押さえ部材を案内するガイド部材と、
前記頁を押さえる方向に前記頁押さえ部材を付勢する付勢部材と、を有することを特徴とする請求項１〜５の何れか一項に記載の頁浮上抑制装置。
［請求項７］
前記開かれた本を載置するための基台に当該頁浮上抑制装置を着脱自在に固定するための固定部材を有することを特徴とする請求項１〜６の何れか一項に記載の頁浮上抑制装置。
［請求項８］
前記基台は、ベース部と前記ベース部に対してスライドするスライド部とを備え、
当該頁浮上抑制装置は、前記固定部材を介して前記スライド部に固定されることを特徴とする請求項７に記載の頁浮上抑制装置。
［請求項９］
本の見開き頁に第一の領域が当接されるとともに、見開かれた本の側面に第二の領域が当接される当接部材と、
前記当接部材により前記見開き頁を本の厚み方向に向けて押圧する押圧手段と、
を備え、
前記第二の領域は、前記見開き頁を最上層の頁とした場合に下層側の頁よりも上層側の頁の方が本の綴じ部方向に向けた頁端部のズレ量が大きくなる形状に形成されていることを特徴とする頁浮上抑制装置。
［請求項１０］
開かれた本の頁をめくるべく、めくり元位置で所定の部材に頁を接触させ、この接触に基づいて前記所定の部材に追随してきた頁をめくり先位置で前記所定の部材から脱着させる頁めくり装置であって、
前記開かれた本を載置するための基台と、
請求項１〜９の何れか一項に記載の頁浮上抑制装置と、
を備えることを特徴とする頁めくり装置。
［請求項１１］
開かれた本の頁をめくるべく、めくり元位置で所定の部材に頁を接触させ、この接触に基づいて前記所定の部材に追随してきた頁をめくり先位置で前記所定の部材から脱着させる頁めくり装置の頁めくり方法であって、
前記めくり元位置の頁を押さえる頁押さえ部材によって当該めくり元位置の頁を押さえる際に重なっている複数の頁を捌くことを特徴とする頁めくり方法。
【符号の説明】
【００３６】
１        頁めくり装置
１０      めくり装置本体
１１      収納ケース
１２      駆動部
１３      アーム部
１４      付着部
１５      送風部
２０      保持台
２１      第１保持板
２２      第２保持板
２３      ヒンジ
３０      頁浮上抑制装置
３１      フレーム
３１１    左側矩形窓
３１２    右側矩形窓
３１３    切欠
３１４    切欠
３１５    側面押さえ部
３１６    側面押さえ部
３２      頁押さえ部材
３２１    頁押さえ部
３２３    左側突片
３２３ａ  貫通孔
３２４    右側突片
３２４ａ  貫通孔
３２５    補強部材
３２６    リブ
３２７    リブ
３２８    頁捌き部
３２９    摩擦部材
３３      シャフト
３４      コイルバネ
３５      固定部材
Ｂ        本
ｂ２      綴じ目
Ｐ        頁
【図１】
0006269611.tif 000002
【図２】
0006269611.tif 000003
【図３】
0006269611.tif 000004
【図４】
0006269611.tif 000005
【図５】
0006269611.tif 000006
【図６】
0006269611.tif 000007
【図７】
0006269611.tif 000008
【図８】
0006269611.tif 000009